(57)【要約】【課題】複数の表示器によりシームレス感のある１つの映像を表示できる表示システムを実現する。【解決手段】第１表示部１１を有する第１表示器１と第２表示部２１を有する第２表示器２との間に、第１表示部１１と第２表示部２１とを繋ぐように補助表示器３を配置した表示システムとする。補助表示器３は、第１表示部１１による第１映像Ｐ１と第２表示部２１による第２映像Ｐ２との間を補完する第３映像Ｐ３を表示し、第１映像Ｐ１および第２映像Ｐ２と併せて一体感のある１つの意匠を創出する。これにより、表示システムを構成する表示器を大型化することなく、１つの大きなサイズの映像であって、シームレス感のある映像を表示可能となる。【選択図】図２
2020008740.tif 000002
【特許請求の範囲】
【請求項１】
一面（１ａ）を有し、前記一面側に第１表示部（１１）を備える第１表示器（１）と、
前記一面に対する法線方向から見て、前記第１表示器と距離を隔てて配置されると共に、第２表示部（２１）を備える第２表示器（２）と、
前記法線方向から見て、前記第１表示器および前記第２表示器の一部と重畳すると共に、前記第１表示部と前記第２表示部とを繋ぐように配置される導光部（３１）と、前記導光部に光を照射する指向性光源（３２）と、を有してなる補助表示器（３）と、を備え、
前記導光部は、前記一面と向き合う下面（３１ｂ）とその反対側の上面（３１ａ）とを有し、前記指向性光源から照射された光を前記上面側へ反射する反射部（３１１）が前記下面側に形成されており、
前記指向性光源は、前記導光部のうち前記上面と前記下面との間の側面（３１ｃ）側から前記反射部に向かって光を照射し、
前記補助表示器は、前記指向性光源から照射された光のうち前記反射部で前記上面側に反射された光により前記第１表示部に表示される第１映像（Ｐ１）と前記第２表示部に表示される第２映像（Ｐ２）との間を補完する第３映像（Ｐ３）を表示する表示システム。
【請求項２】
前記指向性光源を第１指向性光源として、第２指向性光源（３４）をさらに有し、
前記反射部は、前記第１指向性光源から照射された光を前記上面側に反射する第１反射部（３１２）と、前記第２指向性光源から照射された光を前記上面側に反射する第２反射部（３１３）とを有してなり、
前記補助表示器は、前記第１指向性光源から照射された光または前記第２指向性光源から照射された光により前記第３映像を表示する請求項１に記載の表示システム。
【請求項３】
前記第３映像は、前記第１映像および前記第２映像それぞれと連続性を有し、前記第１映像および前記第２映像と併せて１つの映像を構成する請求項１または２に記載の表示システム。
【請求項４】
前記第３映像は、時間経過に伴って、前記第１表示部および前記第２表示部の一方から他方に向かって移動するように表示される映像を補完するものである請求項１または２に記載の表示システム。
【請求項５】
前記法線方向から見て、前記第１表示器、前記第２表示器および前記補助表示器を覆うパネル（４）をさらに有し、
前記パネルは、前記第１表示器、前記第２表示器および前記補助表示器からの光により映像が表示される請求項１ないし４のいずれか１つに記載の表示システム。
【発明の詳細な説明】
【技術分野】
【０００１】
本発明は、表示部を備える複数の表示器と補助表示器とを有し、複数の表示部と補助表示器とにより連続性のある映像を表示する表示システムに関する。
【背景技術】
【０００２】
近年、液晶ディスプレイや有機ＥＬ（Electro Luminescenceの略）ディスプレイなどのディスプレイ分野において、研究開発が進められている。また、この種のディスプレイにおいて、一度に多くの情報を閲覧できるようにするため、高解像度化や大型化のニーズがある。しかしながら、１つのディスプレイを単に大型化した場合、歩留まりが悪くなり、製造コストの増大の原因となるため、好ましくない。
【０００３】
このような課題を解決する表示システムとしては、例えば特許文献１に記載のものが挙げられる。この表示システムは、映像を表示する２つの表示器を備え、２つの表示器を重畳すると共に、上側に配置される表示器のうち下側の表示器の表示部上に位置する部分を光透過部とし、見かけ上、２つの表示部により１つの映像を表示できる構成とされる。そのため、表示器を大型化することなく、一度に多くの情報を表示することが可能な表示部を有する表示システムとなる。
【先行技術文献】
【特許文献】
【０００４】
【特許文献１】特開２００６−１０８１１号公報
【発明の概要】
【発明が解決しようとする課題】
【０００５】
ところで、この種のディスプレイにて、１つの大きな映像（意匠）を表示するニーズも存在し、上記の手段でこのようなニーズに応える場合には、２つの表示部で１つの意匠を表示させることになる。この場合、人の視覚上での違和感をなくすためには、２つの表示部それぞれにおいて１つの意匠の一部とその残部とを表示させつつ、これらの表示部間における意匠のつながりの連続性、すなわちシームレス感を創出することが重要である。
【０００６】
特許文献１に記載の表示システムは、２つの表示器が重畳されており、それぞれの表示部間、すなわち光源に段差が存在する。そのため、この表示システムにて１つの意匠を２つの表示部で表示した場合、正面視では違和感が少なくても、斜視では、表示器の段差が見えてしまい、意匠のシームレス感が損なわれてしまう。
【０００７】
本発明は、上記の点に鑑みてなされたものであり、複数の表示器を有してなり、これらの表示部間に渡って１つの意匠を表示する際に、意匠のシームレス感を確保できる表示システムを提供することを目的とする。
【課題を解決するための手段】
【０００８】
上記目的を達成するため、請求項１に記載の表示システムは、一面（１ａ）を有し、一面側に第１表示部（１１）を備える第１表示器（１）と、一面に対する法線方向から見て、第１表示器と距離を隔てて配置されると共に、第２表示部（２１）を備える第２表示器（２）と、当該法線方向から見て、第１表示器および第２表示器の一部と重畳すると共に、第１表示部と第２表示部とを繋ぐように配置される導光部（３１）と、導光部に光を照射する指向性光源（３２）と、を有してなる補助表示器（３）と、を備える。
【０００９】
このような構成において、導光部は、一面と向き合う下面（３１ｂ）とその反対側の上面（３１ａ）とを有し、指向性光源から照射された光を上面側へ反射する反射部（３１１）が下面側に形成されており、指向性光源は、導光部のうち上面と下面との間の側面（３１ｃ）側から反射部に向かって光を照射し、補助表示器は、指向性光源から照射された光のうち反射部で上面側に反射された光により第１表示部に表示される第１映像（Ｐ１）と第２表示部に表示される第２映像（Ｐ２）との間を補完する第３映像（Ｐ３）を表示する。
【００１０】
これにより、表示部を備える２つの表示器を用いて１つの意匠（映像）を表示する際に、これらの表示部間に配置された補助表示器により、それぞれの表示部で表示される映像同士の間を補完する映像が表示される表示システムとなる。そのため、表示器を大型化することなく、一体感のある１つの意匠を表示でき、シームレス感を確保できる表示システムとなる。
【００１１】
なお、各構成要素等に付された括弧付きの参照符号は、その構成要素等と後述する実施形態に記載の具体的な構成要素等との対応関係の一例を示すものである。
【図面の簡単な説明】
【００１２】
【図１】第１実施形態の表示システムの構成を示す概略ブロック図である。
【図２】図１の表示システムにより１つの映像を表示する様子を示す図である。
【図３】図２に一点鎖線で示すIII-III間の断面構成を示す概略断面図である。
【図４】図２に一点鎖線で示すIV-IV間の断面構成を示す概略断面図である。
【図５Ａ】第２実施形態の表示システムにより１つの映像を表示する様子を示す図である。
【図５Ｂ】第２実施形態の表示システムにより図５Ａに示す映像とは別の１つの映像を表示する様子を示す図である。
【図６Ａ】第３実施形態の表示システムにより経時的に遷移する映像を表示する一例であって、第１段階のものを示す図である。
【図６Ｂ】図６Ａに続く第２段階の表示を示す図である。
【図６Ｃ】図６Ｂに続く第３段階の表示を示す図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
第１実施形態の表示システムについて、図１〜図４を参照して述べる。本実施形態の表示システムは、例えば自動車などの車両に搭載され、車両におけるマルチ表示システムとして適用される。本実施形態では、車両に搭載された例について説明するが、車載以外の他の用途にも適用され得ることは言うまでもない。
【００１５】
図３、図４では、構成の理解を助けるために、各構成要素の厚みや大きさなどを誇張してデフォルメしたものを示している。
【００１６】
本実施形態の表示システムは、図１〜図３に示すように、第１表示器１と、第２表示器２と、補助表示器３と、パネル４と、表示制御部５とを有してなる。本実施形態の表示システムは、図２に示すように、第１表示器１の第１表示部１１、第２表示器２の第２表示部２１および補助表示器３それぞれを用いて１つのまとまりのある映像を表示することができる構成とされている。
【００１７】
第１表示器１は、図３に示すように、一面１ａを有し、一面１ａ側の一部の領域に映像が表示される第１表示部１１を備える。第２表示器２は、図３に示すように、表面２ａを有し、表面２ａ側の一部の領域に映像が表示される第２表示部２１を備える。第１表示器１および第２表示器２は、図３に示すように、第１表示部１１と第２表示部２１とが同じ方向を向きつつ、距離を隔てて配置され、図示しない映像入力部による信号に基づいて映像が表示されるものである。第１表示器１および第２表示器２としては、例えば、液晶ディスプレイ、プラズマディスプレイ、有機ＥＬディスプレイなどの公知の各種ディスプレイが用いられることができる。
【００１８】
以下の説明においては、便宜的に、第１表示部１１に表示される映像を「第１映像Ｐ１」と称し、第２表示部２１に表示される映像を「第２映像Ｐ２」と称する。第１映像Ｐ１および第２映像Ｐ２は、例えば、スピードメータやタコメータなどの各種メータ、カーナビゲーションシステムなどにおけるナビ表示や操作画面、ユーザに対するメッセージ画面など様々な意匠とされ得る。
【００１９】
なお、上記した各種ディスプレイについては、公知であるため、本明細書ではその詳細な説明を省略する。
【００２０】
補助表示器３は、図２に示すように、第１表示部１１による第１映像Ｐ１と第２表示部２１による第２映像Ｐ２との間を補完する第３映像Ｐ３を表示するものである。補助表示器３は、図１もしくは図３に示すように、導光部３１と、指向性光源３２と、ドライバ３３とを有してなり、指向性光源３２がＯＮの状態とされることで第３映像Ｐ３を創出する構成とされている。なお、第３映像Ｐ３については、後述する。
【００２１】
導光部３１は、指向性光源３２から照射された光を後述する反射部３１１により反射し、第１表示部１１での第１映像Ｐ１および第２表示部２１での第２映像Ｐ２と並んで表示させることで第３映像Ｐ３を創出するものである。導光部３１は、例えば、四角形板状とされ、アクリル樹脂やガラスなどの光を透過する部材により構成される。導光部３１は、その厚みについては任意であるが、例えば、１〜２ｍｍ程度の厚みとされ得る。
【００２２】
導光部３１は、図３に示すように、第１表示部１１および第２表示部２１との間に配置されると共に、第１表示器１の一面１ａおよび第２表示器２の表面２ａの一部と重畳して設置されている。言い換えると、導光部３１は、第１表示器１と第２表示器２とを橋渡しするように配置されている。導光部３１は、図２に示すように、一面１ａに対する法線方向（以下「一面法線方向」という）から見て、第１表示部１１と第２表示部２１とを繋ぐように配置されている。具体的には、導光部３１は、例えば、一面法線方向から見て、その外郭をなす辺のうち第１表示部１１に隣接する辺が第１表示部１１の外郭の一辺と重畳し、第２表示部２１に隣接する辺が第２表示部２１の外郭の一辺と重畳するように配置される。
【００２３】
なお、導光部３１は、例えば、図示しない接着剤を用いて貼り付ける、図示しないリブなどにより機械的に取り付けるなどの任意の方法により、第１表示器１もしくは第２表示器２またはその両方に取り付けられる。また、導光部３１と、第１表示器１および第２表示器２とが重畳する領域については、任意であり、第１映像Ｐ１、第２映像Ｐ２を表示する際の妨げとならなければよい。
【００２４】
導光部３１は、本実施形態では、例えば、第１表示器１と第２表示器２とが並べられた方向と交差する方向（以下「交差方向」という）に延設されている。導光部３１は、図３もしくは図４に示すように、第１表示器１の一面１ａと向き合う下面３１ｂとその反対側の面である上面３１ａとこれらの面の間の側面３１ｃを有する。導光部３１は、図４に示すように、下面３１ｂ側に反射部３１１が形成されている。
【００２５】
反射部３１１は、図４に示すように、側面３１ｃ側から照射された指向性光源３２からの照射光の一部を上面３１ａ側に反射するものであり、例えば、断面視にて直角三角形状の溝とされている。反射部３１１は、必要に応じて、断面視にて略Ｖ字形状や他の形状とされてもよい。
【００２６】
反射部３１１は、例えば、図４に示すように、複数形成され、断面視にて側面３１ｃに対して傾いた傾斜面で指向性光源３２から照射された光の一部を反射する。この場合、反射部３１１は、指向性光源３２から遠い位置に形成されたものほど深い溝とされることが好ましい。
【００２７】
これは、指向性光源３２から遠いほど光の強度が弱くなり、多くの光を反射する必要があることによる。また、指向性光源３２からの光の照射方向に沿った同一断面において、指向性光源３２に近い位置にも別の反射部３１１が形成されていた場合には、当該近い位置の反射部３１１を乗り越えた光を反射する必要があるためである。
【００２８】
反射部３１１は、例えば、導光部３１がアクリル樹脂などにより構成される場合には、熱転写プロセスなどにより形成される。下面３１ｂに対する法線方向（以下「下面法線方向」という）から反射部３１１を見たときの底部分を底部とし、下面法線方向における下面３１ｂから底部までの距離を深さとして、その深さは任意であるが、例えば数十μｍ〜数百μｍ程度とされ得る。また、反射部３１１は、上面法線方向から見て、上面３１ａ側に表示したい第３映像Ｐ３に対応したパターンとされ、下面法線方向から見たときの幅や形状については適宜変更される。
【００２９】
本実施形態では、反射部３１１は、上面３１ａに対する法線方向から見て、導光部３１の外郭をなす辺のうち少なくとも第１表示部１１および第２表示部２１に隣接する辺（以下「隣接辺」という）の一部と重複するパターンとされる。これは、第１映像Ｐ１および第２映像Ｐ２それぞれと切れ目のない第３映像Ｐ３を表示し、第１表示部１１と第２表示部２１とに渡る後述するシームレス感のある１つの映像を創出するためである。
【００３０】
なお、反射部３１１は、「プリズム」と称され得る。また、導光部３１は、「導光プリズム」と称され得る。
【００３１】
指向性光源３２は、図４に示すように、主として導光部３１の側面３１ｃ側から反射部３１１に指向性の光を照射する光源であり、本実施形態では、ＬＥＤ（Light Emitting Diodeの略）光源とされている。指向性光源３２は、図２に示すように、一面法線方向から見て、導光部３１の外側に配置される。指向性光源３２は、その発光色については単色でもよいし、例えば赤色、緑色、青色などの複数の色であってもよく、第３映像Ｐ３に対応して適宜変更される。指向性光源３２は、１つのＬＥＤ素子から構成されていてもよいし、複数のＬＥＤ素子から構成されていてもよいが、反射部３１１での反射ムラを低減するには後者のほうが好ましい。
【００３２】
なお、ＬＥＤ素子については、公知のものが採用されることができるため、本明細書では、その詳細な説明を省略する。また、指向性光源３２は、３６０°すべての方向ではなく、そのうちの特定の方向に光を照射する光源であればよく、ＬＥＤ素子以外の任意の光源が採用されてもよい。
【００３３】
ドライバ３３は、図１に示すように、表示制御部５による制御信号に基づき、主に指向性光源３２の駆動電流の制御を行うための回路を備える電子部品であり、本実施形態では、ＬＥＤドライバとされている。ドライバ３３は、図示しないＩＣ（Integrated Circuitの略）を有し、公知のものが用いられることができる。ドライバ３３は、例えば、指向性光源３２の電流値の制御、スイッチングやＰＭＷ制御などによる調光の制御などを実行可能な回路構成とされている。
【００３４】
なお、第１表示器１、第２表示器２および補助表示器３（以下、本実施形態においては、これらをまとめて「表示器」と総称する）は、図示しない筐体など（例えば、車載用途ではインストルメントパネルなど）に収容される。
【００３５】
パネル４は、図３に示すように、一面法線方向から見て、表示器を覆うように配置され、例えば、表示器が収容される図示しない筐体などに取り付けられる。パネル４は、表示器を保護する役割や表示器からの映像を映し出す役割を果たし、例えば、アクリル樹脂などの光を透過する部材によりなる。
【００３６】
なお、パネル４は、第１映像Ｐ１、第２映像Ｐ２および第３映像Ｐ３それぞれの表示品位を合わせるため、光を拡散させる任意のスモーク処理がなされてもよい。また、パネル４は、上記と同様の目的で、ＯＣＡ（Optical Clear Adhesiveの略）やＯＣＲ（Optical Clear Resinの略）などを介して表示器の一部または全部とオプティカルボンディングされてもよい。
【００３７】
表示制御部５は、個々の表示器および表示器全体の動作を制御する電子制御ユニットであり、例えば、図示しないＣＰＵ、ＲＯＭ、ＲＡＭや不揮発性ＲＡＭを備えた制御ＥＣＵ（Electronic Control Unitの略）として構成される。
【００３８】
表示制御部５は、図１に示すように、図示しない映像入力部からの出力信号に基づき、第１表示器１、第２表示器２および補助表示器３それぞれに映像を制御する電気信号を出力するものである。表示制御部５は、第１表示器１、第２表示器２および補助表示器３により１つの映像を表示する場合には、図１に示すように、補助表示器３に指向性光源３２を点灯させるための制御信号を出力する。
【００３９】
以上が、本実施形態の表示システムの基本的な構成である。
【００４０】
次に、補助表示器３を用いた１つの映像表示について説明する。
【００４１】
図２に示すように、補助表示器３は、第１表示部１１での第１映像Ｐ１と第２表示部２１での第２映像Ｐ２との間にこれらを繋ぐ第３映像Ｐ３を表示する。これにより、３つの表示器には、一面法線方向から見て、人の視覚上にて切れ目がなく、連続性のある１つの映像が表示されることとなる。
【００４２】
つまり、第３映像Ｐ３は、本実施形態では、第１映像Ｐ１、第２映像Ｐ２それぞれとの間で切れ目のない映像であって、第１表示部１１と第２表示部２１とに渡るシームレスな１つの映像を創出するための映像とされる。言い換えると、第３映像Ｐ３は、本実施形態では、第１映像Ｐ１および第２映像Ｐ２それぞれと繋がった形状とされることによる、いわば形状的な連続性のある意匠とされている。
【００４３】
これにより、例えば、第１表示器１が各種メータの表示に、第２表示器２がナビ画面の表示に用いられつつも、必要に応じて複数の表示器に渡る１つのシームレス感のある映像を表示することが可能となる。
【００４４】
なお、図２には、第１映像Ｐ１、第２映像Ｐ２および第３映像Ｐ３により、それぞれの映像間で切れ目のない連続した図形を表示した例を示したが、これに限られず、例えば、「Ｗｅｌｃｏｍｅ」などのメッセージが表示されてもよく、各映像は適宜変更され得る。
【００４５】
また、単に２つの表示器を重畳して１つの映像を創出する従来の方法では、一方の表示器の厚み分だけ表示部の高さ位置の差、すなわち段差が生じ、斜視においては、この段差による映像の切れ目が見えることで映像の一体感が損なわれる問題があった。
【００４６】
これに対して、本実施形態の表示システムでは、補助表示器３のうち第１表示部１１および第２表示部２１と向き合う下面３１ｂ側に設けられた反射部３１１で光を反射させて第３映像Ｐ３を表示する構成とされる。そのため、従来の方法に比べて、第１表示部１１および第２表示部２１と、補助表示器３のうち第３映像Ｐ３の表示に用いられる光の反射部分との段差が小さくなり、斜視における表示部間の映像の途切れが抑制される。つまり、表示器に渡る１つの映像を表示した際に、当該映像のシームレス感を確保できる視野角が従来よりも広く、表示の一体感や意匠性の一体感のニーズに応えることができる表示システムとなる。
【００４７】
本実施形態によれば、複数の表示器に渡って連続性のある１つの映像、すなわち一体感のある意匠を表示でき、シームレス感を確保できる表示システムとなる。また、汎用サイズの複数の表示器１、２と補助表示器３とにより、汎用サイズを超えるサイズの１つの映像を表示することができ、製造コストが従来よりも低減した表示システムとなる。
【００４８】
（第２実施形態）
第２実施形態の表示システムについて、図５Ａ、図５Ｂを参照して述べる。図５Ａ、図５Ｂでは、指向性光源３２の駆動状況を分かり易くするため、指向性光源３２のＯＮ／ＯＦＦを便宜的に示している。
【００４９】
本実施形態の表示システムは、指向性光源３２を第１指向性光源３２として、第２指向性光源３４をさらに有し、導光部３１に光を照射する光源を切り替えることで２種類の第３映像Ｐ３を表示される点が上記第１実施形態と相違する。本実施形態では、この相違点について主に説明する。
【００５０】
導光部３１は、本実施形態では、反射部３１１が第１反射部３１２と第２反射部３１３とを有してなり、図５Ａ、図５Ｂに示す２種類の第３映像Ｐ３のパターンとされている。
【００５１】
第１反射部３１２は、第１指向性光源３２から照射された光を上面３１ａ側に反射し、図５Ａに示すように、一の第３映像Ｐ３を表示する際に用いられる。一方、第２反射部３１３は、第２指向性光源３４から照射された光を上面３１ａ側に反射し、図５Ｂに示すように、他の第３映像Ｐ３を表示する際に用いられる。
【００５２】
第１反射部３１２および第２反射部３１３は、その形状、深さや幅などについては第３映像Ｐ３に応じて適宜変更される。ただ、本実施形態では、第１反射部３１２および第２反射部３１３は、シームレス感のある映像を表示するため、上記第１実施形態での反射部３１１と同様に、少なくとも導光部３１の隣接辺の一部と重複するパターンとされる。
【００５３】
第２指向性光源３４は、導光部３１の外側の領域であって第１指向性光源３２と異なる位置に配置され、側面３１ｃ側から第２反射部３１３に光を照射する。本実施形態では、第２指向性光源３４は、図５Ａに示すように、一面法線方向から見て、導光部３１を挟んで第１指向性光源３２の反対側に配置され、第１指向性光源３２と対向している。
【００５４】
第２指向性光源３４は、その基本構成については第１指向性光源３２と同様であるが、発光色やＬＥＤ素子の数などについては、他の第３映像Ｐ３に対応して適宜変更される。第２指向性光源３４は、第１指向性光源３２と同様、ドライバ３３によりその駆動条件が制御される。
【００５５】
つまり、補助表示器３は、本実施形態では、第１指向性光源３２および第２指向性光源３４のいずれか一方を使用するか選択されることで、表示される第３映像Ｐ３を切り替えることができる構成とされている。
【００５６】
なお、本実施形態では、第１映像Ｐ１および第２映像Ｐ２に応じて、第１指向性光源３２、第２指向性光源３４のいずれを点灯させるかの制御については、表示制御部５により実行される。
【００５７】
本実施形態によれば、上記第１実施形態での効果に加えて、必要に応じて、２種類の異なる意匠の第３映像Ｐ３を表示することで、シームレス感のある１つの映像を２種類表示することができる構成の表示システムとなる。
【００５８】
（第３実施形態）
第３実施形態の表示システムについて、図６Ａ〜図６Ｃを参照して述べる。
【００５９】
なお、図６Ａ〜図６Ｃでは、指向性光源３２の駆動状況を分かり易くするため、図５Ａ、図５Ｂと同様に、指向性光源３２のＯＮ／ＯＦＦを便宜的に示している。
【００６０】
本実施形態の表示システムは、図６Ａ〜図６Ｃに示すように、補助表示器３が創出する第３映像Ｐ３が、第１映像Ｐ１および第２映像Ｐ２と同時に表示されず、第１映像Ｐ１と第２映像Ｐ２との間に表示され、経時的な連続性のある意匠を表示する。本実施形態の表示システムは、このような点において上記第１実施形態と相違する。本実施形態では、この相違点について主に説明する。
【００６１】
反射部３１１は、本実施形態では、上面３１ａに対する法線方向から見て、外郭をなす辺に囲まれた領域よりも内側の領域に形成されたパターンとされており、隣接辺と重複したパターンとされていない。本実施形態では、反射部３１１が指向性光源３２から照射された光を上面３１ａ側に反射すると、例えば図６Ｂに示すように、図６Ｃに示す第２映像Ｐ２および図６Ａに示す第１映像Ｐ１との間が直接的に連続していない第３映像Ｐ３が表示される。なお、反射部３１１は、下面法線方向から見たときのパターン形状については、第３映像Ｐ３に応じて適宜変更される。
【００６２】
本実施形態では、例えば、経時的に図６Ａ、図６Ｂ、図６Ｃの順に、すなわち第２映像Ｐ２、第３映像Ｐ３、第１映像Ｐ１がこの順に表示される。
【００６３】
具体的には、まず、図６Ａに示すように、第２表示器２が第２表示部２１に第２映像Ｐ２を表示する。このとき、第１表示器１および補助表示器３は、映像を表示しておらず、指向性光源３２がＯＦＦの状態とされる。続いて、図６Ｂに示すように、第２表示器２が第２表示部２１での第２映像Ｐ２を消した後に、補助表示器３は、指向性光源３２をＯＮの状態にし、第３映像Ｐ３を表示する。この際、第１表示器１は、まだ映像を表示していない状態である。そして、図６Ｃに示すように、補助表示器３が指向性光源３２をＯＦＦの状態にして第３映像Ｐ３を消した後に、第１表示器１は、第１表示部１１に第１映像Ｐ１を表示する。このように経時的に映像を表示することで、人の視覚上では、第２映像Ｐ２として表された図形が第２表示部２１から補助表示器３、第１表示部１１の順に遷移する、すなわち断続的に移動するように認識される。
【００６４】
つまり、第３映像Ｐ３は、本実施形態では、第１映像Ｐ１と第２映像Ｐ２との合間に表示とされることによる、いわば経時的な連続性のある意匠とされている。言い換えると、第３映像Ｐ３は、時間経過に伴い、第１表示部１１および第２表示部２１の一方から他方に向かって移動するように表示される映像を補完する意匠とされている。
【００６５】
なお、第１映像Ｐ１、第２映像Ｐ２および第３映像Ｐ３は、図６Ａ〜図６Ｃに示した例では、同一の映像とされているが、これに限定されず、人の視覚上で経時的に連続していると認識される意匠であればよく、適宜変更されてもよい。また、第１表示部１１、補助表示器３、第２表示部２１の順に各映像を表示してもよいし、往復するなど点灯パターンについても適宜変更されてもよいことは言うまでもない。
【００６６】
本実施形態によれば、複数の表示器に渡る広範囲に表示され、経時的な連続性のある映像を表示することができ、シームレス感を確保できる表示システムとなる。
【００６７】
（他の実施形態）
なお、上記した各実施形態に示した表示システムは、本発明の表示システムの一例を示したものであり、上記の各実施形態に限定されるものではなく、特許請求の範囲に記載した範囲内において適宜変更が可能である。
【００６８】
（１）例えば、上記各実施形態において、導光部３１の側面３１ｃには、指向性光源３２からの光を拡散させる拡散処理が施されたり、拡散板が配置されたりしてもよい。
【００６９】
（２）上記各実施形態では、第１表示器１および第２表示器２の２つの表示器とこれらの間を繋ぐ１つの補助表示器３を有する構成とされた例について説明した。しかしながら、これに限られず、第３表示器をさらに加え、第３表示器と第１表示器１または第２表示器２とを繋ぐ第２の補助表示器を備える構成とされてもよいし、さらに表示器および補助表示器３の数を増やしてもよい。このように、汎用サイズの表示器とこれらの表示器で表示される映像を補完する映像を表示する補助表示器の数は、適宜変更されてもよい。
【００７０】
（３）上記各実施形態では、補助表示器３の上にパネル４が配置された構成とされた例について説明したが、導光部３１を第１表示部１１および第２表示部２１の全体を覆うサイズとし、これをパネル４の代わりとして用いた構成としてもよい。つまり、補助表示器３がパネル４の役割も兼ねるものとして用いられる構成とされてもよい。この場合、映像のシームレス感をさらに得られるようにするために、導光部３１のうち上面３１ａ側に光を拡散させる拡散処理が施されてもよい。
【符号の説明】
【００７１】
１      第１表示器
１１    第１表示部
２      第２表示器
２１    第２表示部
３      補助表示器
３１    導光部
３１１  反射部
３２    指向性光源
３３    ドライバ
４      パネル
【図１】
2020008740.tif 000003
【図２】
2020008740.tif 000004
【図３】
2020008740.tif 000005
【図４】
2020008740.tif 000006
【図５Ａ】
2020008740.tif 000007
【図５Ｂ】
2020008740.tif 000008
【図６Ａ】
2020008740.tif 000009
【図６Ｂ】
2020008740.tif 000010
【図６Ｃ】
2020008740.tif 000011